(57)【特許請求の範囲】
【請求項１】
ドリルやエンドミルの様にシャンク部を有する棒状の工具を保持するための工具ホルダーであって、
背板と、
該背板の下端部に設けられ、前記工具のシャンク部の下端部分を嵌合保持する第１のシャンク保持部材と、
前記背板の前記第１のシャンク保持部材と同一の側に、該第１のシャンク保持部材から所定距離上方に離れて配置され、前記工具のシャンク部を背後から取り巻く様に嵌合保持する第２のシャンク保持部材と、
前記背板の前記第１，第２のシャンク保持部材の間の位置に、当該背板を後方に傾いた状態に屈曲させるためのヒンジ部が設けられていること
を特徴とする工具ホルダー。
【発明の詳細な説明】
【０００１】
【発明の属する技術分野】
本発明は、ドリルやエンドミルの様にシャンク部を有する棒状の工具を保持するための工具ホルダーに関するものである。
【０００２】
【従来の技術】
従来、ドリルやエンドミル等の棒状の工具を収納するものとして、所定長さの下ケースと、この下ケースの開口部を覆う様に外嵌される上ケースとからなる収納ケースが知られている。この種の収納ケースは、通常、下ケースの外面に形成した凹凸と上ケースの内面に形成した凹凸とを嵌合させることによって閉じた状態を維持する構造となっている。例えば、米国特許第４５０９６５６号特許明細書に記載さる収納ケースは、こうした従来の収納ケースの一種であり、コーナー部の内面に飛び出すウェブを有する外ケースと、コーナー部の外面に所定間隔で外へ膨らむ様に形成された多数の凸部を有する下ケースとから構成され、長さを可変としたものである。
【０００３】
【発明が解決しようとする課題】
ところで、こうした従来の収納ケースにドリル等の工具を収納した場合、ケース内で工具ががたついて刃先が損傷を受ける場合があるという問題がある。
【０００４】
そこで、本発明は、ドリルやエンドミルの様な棒状の工具を刃先を損傷することなくケースに収納することができると共に、ホルダーからの取り外しを容易にすることを目的とする。
【０００５】
【課題を解決するための手段】
上記目的を達成するためになされた本発明の工具ホルダーは、ドリルやエンドミルの様にシャンク部を有する棒状の工具を保持するための工具ホルダーであって、背板と、該背板の下端部に設けられ、前記工具のシャンク部の下端部分を嵌合保持する第１のシャンク保持部材と、前記背板の前記第１のシャンク保持部材と同一の側に、該第１のシャンク保持部材から所定距離上方に離れて配置され、前記工具のシャンク部を背後から取り巻く様に嵌合保持する第２のシャンク保持部材と、前記背板の前記第１，第２のシャンク保持部材の間の位置に、当該背板を後方に傾いた状態に屈曲させるためのヒンジ部が設けられていることを特徴とする。
【０００６】
この本発明の工具ホルダーによれば、ドリルやエンドミルの様にシャンク部を有する棒状の工具を第１のシャンク保持部材と第２のシャンク保持部材とにより、軸方向に所定距離離れた複数の箇所で嵌合保持することにより、ケースに収納した状態でのがたつきを良好に防止できる。そして、ホルダーから工具を取り外すに当たっては、ヒンジ部を利用して背板を後方に屈曲させることで第２の嵌合保持部材による保持を開放し、容易に取り外すことができる。
【０００７】
なお、第２のシャンク保持部材の方には、前記工具のシャンク部を締め付けて軸方向への移動を阻止する軸方向移動阻止部材を備えておくと、がたつき防止効果をより一層高めることができる。
【０００８】
この場合においても、ヒンジ部を備えたことにより、第２のシャンク保持部材に軸方向移動阻止部材によってしっかりと嵌合保持されているシャンク部を、てこの原理により、容易に外すことができる。
【０００９】
【発明の実施の形態】
本発明の一の実施の形態としての工具ホルダーについて、図１及び図２に基づいて説明する。本実施の形態の工具ホルダー１は、合成樹脂を射出成形して製造されている。そして、この工具ホルダー１は、保持する工具の全長よりも長い背板３と、この背板３の下端部に設けられ、工具のシャンク部の下端部分を１８０度を越えて背後から取り巻く様に嵌合保持する第１の嵌合溝５を有する第１のシャンク保持部材７と、この第１のシャンク保持部材７から所定距離上方に離れて配置され、工具のシャンク部を１８０度を越えて背後から取り巻く様に嵌合保持する第２の嵌合溝９を有する第２のシャンク保持部材１１と、この第２のシャンク保持部材１１の第２の嵌合溝９に設けられ、工具のシャンク部を締め付けて軸方向への移動を阻止する軸方向移動阻止部材としての凸条１３とを備えている。また、この工具ホルダー１には、背板３の第１，第２のシャンク保持部材７，１１の間の位置に、当該背板３を後方に傾いた状態に屈曲させるためのヒンジ部１５が設けられている。さらに、背板３の下端には、工具ホルダー１を収納ケースに入れた場合に、工具を起立状態に安定化させるための底板１７も設けられている。なお、背板３は、上ケースと下ケースとからなる収納ケースに入れたとき、上ケースを取り除くと下ケースより上方に所定量だけ上端が露出する長さとされている。これにより、下ケースから工具ホルダー１を取り出し易くなっている。
【００１０】
この工具ホルダー１によれば、ドリルやエンドミルの様にシャンク部を有する棒状の工具の下端部分を第１のシャンク保持部材７の第１の嵌合溝５に嵌合させる様にして保持させると共に、第２のシャンク保持部材１１の第２の嵌合溝９に嵌合させる様にして保持させる。すると、背板３はこの工具より長く形成されているため、工具の刃先は背板３からはみ出すことなく保持される。また、第２のシャンク保持部材１１の第２の嵌合溝９には凸条１３が設けられているので、工具は第２の嵌合溝９内にしっかりと締め付けられた状態で嵌合保持されており、軸方向に移動することができない。さらに、第１，第２の嵌合溝５，９は、シャンク部を１８０度を越えて背後から取り巻く様に嵌合保持しているので、意図的に力を加えないとシャンク部を嵌合溝５，９から外すことができない。こうして、工具を保持した工具ホルダー１を、収納ケースに収納することにより、工具の刃先がケース内壁面に衝突することがなく、工具の刃先を保護した状態でケース内に収納することができる。
【００１１】
また、工具をこの工具ホルダー１から取り出す際には、背板３をヒンジ部１５を中心に後方に傾かせて第２のシャンク保持部材１１からシャンク部を外した後で、第１のシャンク保持部材７からシャンク部を取り外せば、容易に工具を取り出すことができる。
【００１２】
以上、本発明の実施の形態について詳細に説明してきたが、本発明はこれに限られるものではない。
【００１３】
【発明の効果】
以上詳細に説明した様に、本発明の工具ホルダーによれば、ドリルやエンドミルの様な棒状の工具を刃先を損傷することなくケースに収納することができる。
【図面の簡単な説明】
【図１】  実施の形態としての工具ホルダーを示し、（Ａ）は正面図、（Ｂ）は右側面図である。
【図２】  実施の形態としての工具ホルダーを示し、（Ａ）は平面図、（Ｂ）は底面図、（Ｃ）はＡ−Ａ、Ｃ−Ｃ断面図、（Ｄ）はＢ−Ｂ、Ｄ−Ｄ断面図である。
【符号の説明】
１・・・工具ホルダー、３・・・背板、５・・・第１の嵌合溝、７・・・第１のシャンク保持部材、９・・・第２の嵌合溝、１１・・・第２のシャンク保持部材、１３・・・凸条、１５・・・ヒンジ部、１７・・・底板。
【図１】
0004562866.tif 000002
【図２】
0004562866.tif 000003